(57)【要約】      （修正有）【課題】ＩＣカードとコインの両方を使えるタイプのコインロッカー装置を提供する。【解決手段】コインまたはＩＣカードを介して利用料金を受け付ける精算装置４０とキー制御装置５０とを備えるコインロッカー装置であって、精算装置４０は、投入されたコイン数に応じてキー制御装置５０に対してＯＫ信号を送出する第一コントローラ部４２と、ＩＣカードの読取装置を介して、ＩＣカードに基づく料金の支払いを確認したときにキー制御装置５０に対してＯＫ信号を送出する第二コントローラ部４３とを備え、この第二コントローラ部４３は、利用料金値を変更可能に設定する利用料金可変部４４を備え、この利用料金可変部４４の設定料金に基づいてＩＣカードによる利用料金の精算を行う。【選択図】図１
0003187890.tif 000002
【実用新案登録請求の範囲】
【請求項１】
コインまたはＩＣカードを介して利用料金を受け付ける精算装置と、この精算装置を介してロッカー各庫の施解錠を制御するキー制御装置とを備えるコインロッカー装置において、
前記精算装置は、
投入されたコイン数に応じて前記キー制御装置に対してＯＫ信号を送出する第一コントローラ部と、
ＩＣカードの読取装置を介して、ＩＣカードに基づく料金の支払いを確認したときに前記キー制御装置に対してＯＫ信号を送出する第二コントローラ部とを備え、
この第二コントローラ部は、
利用料金値を変更可能に設定する利用料金可変部を備え、
この利用料金可変部の設定料金に基づいて、前記ＩＣカードによる利用料金の精算を行うことを特徴とするコインロッカー装置。
【請求項２】
請求項１記載のコインロッカー装置であって、
ロッカー各庫の扉横の桟に、物理キーを介して各扉の施解錠を行う機械式ロック装置を設けるとともに、
請求項１記載のキー制御装置を介して前記機械式ロック装置の施解錠状態を制御することを特徴とするコインロッカー装置。
【請求項３】
利用料金可変部は、
コインによる利用料金よりも少額の利用料金値に設定することを特徴とする請求項１記載のコインロッカー装置。
【考案の詳細な説明】
【技術分野】
【０００１】
本考案は、コインまたはＩＣカードによる支払利用が可能なロッカー装置に関する。
【背景技術】
【０００２】
従来、コインロッカー装置は、物理キーを用いて扉の開閉を行う機械式のもの（下記特許文献１）と、バーコードや暗証番号等を用いて扉の開閉制御を行うＩＣ式（下記特許文献２）のものがある。
【０００３】
ロッカー各庫にコインを投入する機械式コインロッカーは、コイン（紙幣を含む）の持ち合わせがない場合に利用できないし、各庫のコイン収納部に硬貨が貯まるため、盗難を避けるためにも頻繁に利用料金の徴収作業を行う必要がある。
【０００４】
一方、ＩＣ式コインロッカーは、金銭支払い機能をもったＩＣカードを携帯していればスピーディに利用できるため、地下鉄や鉄道などの公共交通機関でも使用可能なＩＣカードの利用者には好評であるし、コイン回収の必要もないので設置者側の管理も容易である。
【０００５】
しかしながら、地震等の震災時に長時間の停電があると、ＩＣ式コインロッカーは扉が開かなくなる。また、ひとつの制御装置を介してすべてのロッカー扉の開閉制御を行うので、操作に手間取る人がいると、急いでいる他の利用者に迷惑がかかる場合があるなどの問題があった。
【０００６】
そこで、本出願人は、ＩＣカードによる料金の支払いを可能とする精算装置とキー制御装置とを設け、ロッカー各庫の扉の開閉は物理キーを用いて行うことが出来るハイブリッド型のコインロッカー装置を提案した（特許文献３）。
【先行技術文献】
【特許文献】
【０００７】
【特許文献１】特開平０７−２３９９６５
【特許文献２】特開２００８−２５０８７６
【特許文献３】実願２０１１−００６３５４
【考案の開示】
【考案が解決しようとする課題】
【０００８】
ところで、コインとＩＣカードのいずれか一方で支払いを行うコインロッカーは、利用者にとっては便利であるが、運営者側からすると改善の余地を残している。
【０００９】
第一の課題は、各種税金の新設や変動に伴う収益変動である。コインロッカー装置は、１００円硬貨を用いた利用料金の回収を行うことが多いので、１００円以下の税金変動には直ちに柔軟な対処ができない。１００円単位で利用料金を引き上げると、利用率が低下する等、好ましくない事態を惹起する。
【００１０】
第二の課題は、ＩＣカードの利用促進である。鉄道や地下鉄などの公共輸送機関は、券売機の削減、切符に使う紙の削減、券売に要する人員の削減などのため、乗車カード機能をもったＩＣカードの利用促進を図っている。ＩＣカードは乗車カード機能と電子マネー機能とを兼ねることが多いので、鉄道駅や地下鉄駅などに設置するコインロッカー装置においても、ＩＣカードの利用促進を図ることが望ましいという要請がある。
【００１１】
そこで、本考案の目的は、ＩＣカードとコインの両方を使えるタイプのコインロッカー装置を技術的前提として、税金変動等、社会情勢の変化に伴う利益変動を抑える点にある。同時に、社会的要請が高いＩＣカードの利用率を高め得るシステムを提供する点にある。
【課題を解決するための手段】
【００１２】
前記目的を達成するため、本考案に係るコインロッカー装置は、コインまたはＩＣカードを介して利用料金を受け付ける精算装置と、この精算装置を介してロッカー各庫の施解錠を制御するキー制御装置とを備えるコインロッカー装置を技術的前提として、前記精算装置は、投入されたコイン数に応じて前記キー制御装置に対してＯＫ信号を送出する第一コントローラ部と、ＩＣカードの読取装置を介して、ＩＣカードに基づく料金の支払いを確認したときに前記キー制御装置に対してＯＫ信号を送出する第二コントローラ部とを備え、この第二コントローラ部は、利用料金値を変更可能に設定する利用料金可変部を備え、この利用料金可変部の設定料金に基づいて、前記ＩＣカードによる利用料金の精算を行う（請求項１）。
【００１３】
かかるコインロッカー装置によれば、コインまたはＩＣカードのいずれかによって利用料金の支払いを可能としつつ、ＩＣカードを介した利用時には、税金の変動等に伴う利用料金の変動値を最小限に抑えつつ適正な課金対応が可能となる。
【００１４】
コイン利用の場合には、税金の新設や変動等に柔軟に対応できない。このため、運営者の利益がある程度出ている場合は、通常、硬貨による利用料金は据え置いたままで運営する。
【００１５】
ロッカー各庫の扉横の桟に、物理キーを介して各扉の施解錠を行う機械式ロック装置を設けるとともに、請求項１記載のキー制御装置を介して前記機械式ロック装置の施解錠状態を制御する場合がある（請求項２）。
【００１６】
これは、ＩＣカードの利用が可能でありながら、ロッカー各庫の扉の施解錠は物理キーを介して行う形式、いわゆるハイブリッド型のコインロッカー装置である。このような、いわゆるハイブリッド型のコインロッカー装置でも、利用料金等の支払いは、ＩＣカードだけでなくコイン投入式で行うことが出来るようにすることで、利用者の利便を図る。
【００１７】
利用料金可変部は、コインによる利用料金よりも少額の利用料金値に設定する場合がある（請求項３）。
【００１８】
コインによる支払いとＩＣカードによる支払いは、本来、同一額であることが望ましい。しかしながら、ＩＣカードの場合は細かな税金変動等に伴う増減調整が可能であるのに対し、コインの場合は、税金等の変動に柔軟に対応するのは困難である。硬貨の種類を判別する検銭機の機構が複雑／高価になるからである。
【００１９】
このため、運営者側に損益が出るような場合は、硬貨利用時の利用料金を引き上げざるを得ない。一方、ＩＣカード利用時には、硬貨利用時よりも有利な割引料金に設定することにより、利用者の経済負担を最小限に抑えたまま、運用者の収益を保全し、ＩＣカードの利用率を着実に増加させることが可能となる。
【００２０】
なお請求項１または請求項２に係るコインロッカー装置においては、この請求項３と異なり、コインによる利用代金等の支払いの方が、ＩＣカードによる支払いよりも有利な設定とする場合もあり得る。また請求項１に係るコインロッカー装置は、必ずしも物理キーを用いた扉の施解錠を行うタイプに限らず、ソレノイド装置等を介した電子ロック式の施解錠システムであっても構わない。
【考案の効果】
【００２１】
本考案に係るコインロッカー装置によれば、税金変動等、社会情勢の変化に伴う利益変動を抑えることが可能となる。また、ＩＣカードで支払う場合は、コイン利用よりも少額に設定できるので、ＩＣカードの利用率を高める可能性が生ずる。
【図面の簡単な説明】
【００２２】
【図１】実施形態に係るコインロッカー装置の構成を例示するブロック図である。
【図２】実施形態に係るコインロッカー装置の正面外観を例示する図である。
【考案を実施するための形態】
【００２３】
図２に示すように、本実施形態に係るコインロッカー装置１０は、例えば、硬貨投入式のコインロッカーとＩＣ式ロッカーとを組み合わせたような外観を呈するハイブリッド型に設計する。１１はロッカー扉、１２は把手、１３は物理キーの差込口、１４はマスターキーの差込口、２０は管理装置である。
【００２４】
管理装置２０は、見かけ上、例えば、タッチパネル式のモニタ画面２１、ＩＣカードのデータを読み取る光学式のＩＣカード読取部２２、紙幣の取込口２３、硬貨の投入口２４を備える。両替機を近傍に配する場合は、紙幣の取込口２３は設ける必要がない。
【００２５】
また、このようなハイブリッド型の場合は、旧来のＩＣ式コインロッカーと異なり、レシートの発行口を設ける必要はない。従来は、レシートに解錠に必要なバーコード等の印刷コードや解錠番号（暗証番号）をプリントして発行していたが、本実施形態に係るコインロッカー装置１０は、物理キー（図１参照）を介してロッカー扉１１の開閉を行うため、解錠のためのコードや暗証番号は必要がないからである。
【００２６】
図１は、実施形態に係るコインロッカー装置１０の構成をより具体的に例示するものである。
【００２７】
このコインロッカー装置１０は、ロッカー各庫の扉横の桟に設けた機械式の扉の機械式ロック装置３０と、ロッカー各庫の扉の開閉を統括的に制御する管理装置２０を備える。
【００２８】
機械式ロック装置３０は、例えば、物理キーＫによって回動するキーシリンダー３３と、このキーシリンダー３３に従動する駆動片３４と、この駆動片３４に従動するロック片３５を備える。
【００２９】
ロック片３５は、単純な進退動を行う形式（本締め方式）でも回動する形式（かま錠方式）でもよい。可動ストッパ３６は、ソレノイド装置３７に従って、駆動片３４の動きを拘束する部材である。ソレノイド装置３７は、管理装置２０を介して作動をコントロールする。
【００３０】
管理装置２０は、精算装置４０とキー制御部５０とを備える。
【００３１】
精算装置４０は、ロッカーの利用代金（延長料金等を含む）を受け付けて精算するもので、利用代金の受付は、例えば、金銭の支払い機能をもったＩＣカード、硬貨、紙幣の三種類のいずれか一の手段を介して行うようにする。
【００３２】
精算装置４０が、規定の料金を精算したときは、キー制御部５０に対してＯＫ信号を送出する。キー制御部５０は、精算装置４０からのＯＫ信号に基づいて、利用代金の支払いや延長料金の支払い等、料金精算が行われた該当ロッカーのソレノイド装置３７を駆動し、物理キーＫを介した施解錠を可能ならしめる。
【００３３】
ソレノイド装置３７は、停電等の給電遮断があったときは原位置に戻り、可動ストッパ３６による駆動片３４の拘束を解除する。従って、停電等の給電遮断が生じても、利用者や管理者は、物理キーＫを介してロッカー各庫の扉を開けることが可能となる。
【００３４】
２１−２は、モニタ画面２１の表面に装着させる透明の操作シート（位置検出装置）である。タッチパネルを構成する操作シート２１−２は、静電容量式、圧電検知式（表面弾性波式）など各種あるが、いずれのタイプのものでも使用できる。２７は、モニタ画面２１に表示する操作手順画像のデータを格納した操作手順処理部である。この操作手順処理部２７は、操作シート２１−２からの信号に基づいて表示画像を切り替え、利用手順を案内する。
【００３５】
４２は、投入された硬貨数または紙幣額に応じてキー制御部５０に対してＯＫ信号を送出する第一コントローラ部である。硬貨の投入口２４から投入されたコイン数が必要額に達したときにＯＫ信号を送出する。
【００３６】
この実施形態では、紙幣の取込口２３から挿入された紙幣が、適正で必要額に達したときにも後段へＯＫ信号を送出するようにしてある。紙幣利用も可能にすることが利用者の利便になり、望ましいからである。紙幣利用を可能とする場合は、紙幣額と利用額との差額を計算して釣り銭を出す硬貨返却手段（図示せず）を設ける。
【００３７】
４３は、電子マネー機能を備えるＩＣカードに基づく金銭徴収処理を行う第二コントローラ部である。光学式のＩＣカード読取部２２からの読取データに基づいて、決済処理、つまりＩＣカードに基づく料金の支払い処理（引き落とし処理）を完了した後に、後段（キー制御部５０）へＯＫ信号を送出する。
【００３８】
この第二コントローラ部４３は、利用料金値を変更可能に設定する利用料金可変部４４を備え、この利用料金可変部４４の設定料金に基づいて、ＩＣカードによる決済処理（利用料金の精算）を行う。
【００３９】
好ましくは、現金による利用に較べて若干（例えば１〜２０％程度）の割引率を設定する。ＩＣカードの利用促進のためである。但し、税金変動等によって、収益が圧迫される場合は、現金による利用に較べて若干（例えば１〜２０％程度）の上乗せ設定を行うことも可能である。利便性確保のための設備／維持費用を加算することで、健全な収益を維持できるようにするためである。この利用料金可変部４４は、外部入力装置、例えば、書換専用機、携帯電話機、スマートフォン装置等を介して容易にデータの書き換えが出来るようにしておくことが望ましい。また書き換えに用いる専用の接続端子、例えばＵＳＢ端子等を管理装置２０に設けても良い。専用端子がなくても共用端子を用いて書き換えすることは可能である。
【００４０】
キー制御部５０は、第一コントローラ部４２および第二コントローラ部４３のいずれか一方からのＯＫ信号に基づき、金銭の支払いが確認された庫体のアクチュエータ装置、例えばソレノイド装置３７を施錠方向に駆動する。施錠方向に駆動されたソレノイド装置３７は、ロッカー庫体に配した可動ストッパ３６を駆動し、利用開始の指定があったロッカー扉１１のロック片３５を施錠できる状態（ストッパ解除状態）にする。
【００４１】
延長料金が発生しない限り、ソレノイド装置３７と可動ストッパ３６は同じ状態を維持するので、利用者は随時、物理キーＫを使ってロッカー扉１１を開くことが出来る。
【００４２】
利用時間が長くなって延長料金が発生した場合は、キー制御部５０は、ソレノイド装置３７を介して可動ストッパ３６を駆動し、ロッカー扉１１のロック片３５を解錠不能の状態（ロック状態）にする。有料ロッカーの場合は、キー制御部５０には図示しないタイマ装置を配設し、利用開始からの経過時間をカウントさせることが望ましい。
【００４３】
かかる構成によれば、コインまたはＩＣカードを使えるコインロッカー装置において、税金変動等に伴う収益変動を最小限に抑え、健全なコインロッカー装置の管理／運営を営むことが可能となる。第二コントローラ部４３が、利用料金値を変更可能に設定する利用料金可変部４４を備えるので、税金変動等に応じて柔軟に料金の設定変更を行えるからである。
【００４４】
また、ＩＣカードによる料金等の支払いを、現金による支払いよりも有利な割引率に設定すれば、社会的要請の高いＩＣカードの利用促進という課題も達成することが出来る。
【００４５】
本考案に係るコインロッカー装置は、前記実施形態のものに限定されない。例えば、ロッカー扉（１１）の施解錠は、物理キーを用いるハイブリッド型に限らず、一部又は全部に電子ロック方式のロック機構を採用しても良い。ロッカー扉１１の施錠方式は限定されない。
【００４６】
前記実施形態では、紙幣による支払いも可能としたが、釣り銭の返却機能を搭載させるとコストが嵩むので、紙幣による支払いが出来ないタイプの簡易型のコインロッカー装置であっても構わない。
【００４７】
コインロッカー装置には、利用料金をとらない返却式のものがある。例えば、デパート、美術館・博物館、プール等の公共運動施設、サウナ等の娯楽施設に設置するコインロッカーは、施錠時にコイン投入を求める一方、開錠時にコインを返却する。これは、故意による物理キーの紛失／盗難を防止するためであるが、コイン投入式の場合は、故意による物理キーの紛失／盗難が有った場合に対処方法がなかったところ、ＩＣカード利用者は個人情報に基づく対処が可能である。
【００４８】
そこで、第二コントローラ部４３が、利用料金値を変更可能に設定する利用料金可変部４４を備える特性を利用することにより、ＩＣカードの割引率を１００％つまり無料に設定すれば、返却式コインロッカー装置における鍵の紛失／盗難事故を高い確率で防止出来るようになる。ＩＣカード利用者の比率は、今後ますます現金利用者より増加すると想定されるので、各種施設における鍵の紛失事故を防止できる点で優れる。
【符号の説明】
【００４９】
１０  コインロッカー装置
１１  ロッカー扉
１２  把手
１３  物理キーの差込口
１４  マスターキーの差込口
２０  管理装置
２１  タッチパネル式のモニタ画面
２１−２  操作シート（位置検出装置）
２２  ＩＣカード読取部
２３  紙幣の取込口
２４  硬貨の投入口
２７  操作手順処理部
３０  機械式ロック装置
３３  キーシリンダー
３４  駆動片
３５  ロック片
３６  可動ストッパ
３７  ソレノイド装置
４０  精算装置
４２  第一コントローラ部
４３  第二コントローラ部
４４  利用料金可変部
５０  キー制御部
Ｋ  物理キー
【図１】
0003187890.tif 000003
【図２】
0003187890.tif 000004